(57)【要約】  【課題】  ブラインドが設定された開口の任意の局所的な部分を開閉動作させることができるようにする。  【解決手段】  開閉可能なスラット１８を有する複数のブラインドユニット１２が上下左右に連結されることによってブラインド１０が構成される。各ブラインドユニット１２には、スラット１８を開閉させるためのダイヤル３４が設けられ、ダイヤル３４が個別に操作されることによって各ブラインドユニット１２のスラット１８が独立的に開閉可能となる。【選択図】  図１
2005282071.tif 000002
【特許請求の範囲】
【請求項１】
開閉可能な遮蔽材（１８）を有する複数のブラインドユニット（１２）が上下左右に連結されることによって構成され、各ブラインドユニット（１２）に遮蔽材（１８）を開閉させるための操作部（３４）が設けられ、操作部（３４）が個別に操作されることによって各ブラインドユニット（１２）の遮蔽材（１８）が独立的に開閉可能であることを特徴とするブラインド。
【請求項２】
各ブラインドユニット（１２）は、上部支持部材（１４）と、該上部支持部材（１４）から吊下げられた前記遮蔽材（１８）とを有しており、上部に位置するブラインドユニット（１２）の上部支持部材（１４）は上部支持レール（２０）に取付けられており、上部支持レール（２０）には２つ以上のブラインドユニット（１２）の上部支持部材（１４）が取り付けられることを特徴とする請求項１記載のブラインド。
【請求項３】
各ブラインドユニット（１２）は、上部支持部材（１４）と、該上部支持部材（１４）から吊下げられた前記遮蔽材（１８）とを有しており、上部に位置するブラインドユニット（１２）の遮蔽材（１８）の下方には、下部支持レール（２２）が吊下げられており、該下部支持レール（２２）には下部に位置するブラインドユニット（１２）の上部支持部材（１４）が取り付けられることを特徴とする請求項１記載のブラインド。
【請求項４】
下部支持レール（２２）には、２つ以上のブラインドユニット（１２）の上部支持部材（１４）が取り付けられることを特徴とする請求項３記載のブラインド。
【発明の詳細な説明】
【技術分野】
【０００１】
本発明は、ブラインドに関し、特に、ブラインドが設定された開口の任意の局所的な部分を開閉することができるブラインドに関する。
【背景技術】
【０００２】
従来のブラインドは、ヘッドボックス内に配置される回転手段に多数のスラット列を整列状態に支持するラダーコードを連結し、回転手段を回転駆動することによってスラット列の回転を可能とし、また、スラット列の下端に配置されたボトムレールに連結される昇降コードを操作することによって、スラット列の昇降を行うようにしたものが広く普及している。
【０００３】
一方、特開平１１−１３１９４８号公報では、ブラインド上部の開閉装置の他に、下部用の開閉装置を付けて一体化し、上下別々に開閉することができるブラインドが提案されており、これによれば、上部のブラインドを開放して光を採り入れ、下部のブラインドを閉じて外部から見えないようにし、またはその反対や上下開放等が自由にできるようになっている。
【０００４】
しかしながら、かかる公報に記載されたブラインドでは、上半分または下半分といった部分的な採光・眺望を行うことはできるが、ブラインドの任意の局所的な部分を開閉するといったことはできない。
【０００５】
【特許文献１】特開平１１−１３１９４８号公報
【発明の開示】
【発明が解決しようとする課題】
【０００６】
本発明はかかる課題に鑑みなされたものであり、ブラインドが設定された開口の任意の局所的な部分を開閉することができるブラインドを提供することをその目的とする。
【課題を解決するための手段】
【０００７】
前述した目的を達成するために、請求項１記載の発明は、開閉可能な遮蔽材を有する複数のブラインドユニットが上下左右に連結されることによって構成され、各ブラインドユニットに遮蔽材を開閉させるための操作部が設けられ、操作部が個別に操作されることによって各ブラインドユニットの遮蔽材が独立的に開閉可能であることを特徴とする。
【０００８】
請求項２記載の発明は、請求項１記載の各ブラインドユニットが、上部支持部材と、該上部支持部材から吊下げられた前記遮蔽材とを有しており、上部に位置するブラインドユニットの上部支持部材は上部支持レールに取付けられており、上部支持レールには２つ以上のブラインドユニットの上部支持部材が取り付けられることを特徴とする。
【０００９】
請求項３記載の発明は、請求項１記載の各ブラインドユニットが、上部支持部材と、該上部支持部材から吊下げられた前記遮蔽材とを有しており、上部に位置するブラインドユニットの遮蔽材の下方には、下部支持レールが吊下げられており、該下部支持レールには下部に位置するブラインドユニットの上部支持部材が取り付けられることを特徴とする。
【００１０】
請求項４記載の発明は、請求項３記載の下部支持レールに、２つ以上のブラインドユニットの上部支持部材が取り付けられることを特徴とする。
【発明の効果】
【００１１】
本発明によれば、ブラインドユニットが上下左右に連結されているために、その任意のブラインドユニットを選択して、その操作部を操作して、そのブラインドユニットの遮蔽材を動作させることにより、ブラインドが設定される開口の任意の局所的な部分を開閉させることができる。
【発明を実施するための最良の形態】
【００１２】
以下、図面を用いて本発明の実施の形態を説明する。
【００１３】
図１は本発明の実施形態にかかるブラインドの正面図である。ブラインド１０は窓枠等の開口に設定されており、上下左右に互いに連結された４つのブラインドユニット１２（１２Ａ、１２Ｂ、１２Ｃ、１２Ｄ）から構成される。ブラインドユニット１２Ａ、１２Ｂは上部に、ブラインドユニット１２Ｃ、１２Ｄは下部に配置される。
【００１４】
この実施形態による各ブラインドユニット１２は横型ブラインドユニットであり、それぞれ、上部支持部材であるヘッドボックス１４と、ヘッドボックス１４から垂下されるラダーコード１６と、ラダーコード１６によって整列状態に支持される多数のスラット１８と、を有している。好ましくは、スラット１８のラダーコード１６と近接する縁部には、図２の拡大部分断面図に示したように、ラダーコード挿通用の切欠１８ａが形成されているとよく、この切欠部分をラダーコード１６が通過することで、スラット１８の横ズレを防止している。
【００１５】
上部に位置するブラインドユニット１２Ａとブラインドユニット１２Ｂのヘッドボックス１４はブラケット１３によって互いに並んで上部支持レール２０に連結されており、下部に位置するブラインドユニット１２Ｃとブラインドユニット１２Ｄのヘッドボックス１４はブラケット１３によって互いに並んで下部支持レール２２に連結されている。また、上部に位置するブラインドユニット１２Ａ、１２Ｂの下端は、下部支持レール２２に連結される。
【００１６】
より具体的には、上部に位置するブラインドユニット１２Ａ、１２Ｂのラダーコード１６の下端は、下部支持レール２２に導入されて、そこで、図３に示すように、下部支持レール２２に固定されてその内部を伸張する回転軸２２ａの回りを周回している。よって、上部に位置するブラインドユニット１２Ａ、１２Ｂのラダーコード１６によって、下部支持レール２２はブラインド１０の上下中間位置に保持されると共に、ラダーコード１６の移動が下部支持レール２２に伝達しないようになっている。但し、上部支持レール２０または上部に位置するブラインドユニット１２Ａ、１２Ｂのヘッドボックス１４と、下部支持レール２２との間に渡りスペーサコードを設けて、スペーサコードによって下部支持レール２２をブラインド１０の上下中間位置に保持することも可能である。
【００１７】
以上のようにして、４つのブラインドユニット１２Ａ、１２Ｂ、１２Ｃ、１２Ｄが上下左右に互いに連結される。下部に位置するブラインドユニット１２Ｃ、１２Ｄのラダーコード１６の下端は、最下部レール２６に連結される。
【００１８】
各ブラインドユニット１２のラダーコード１６の上端は、ヘッドボックス１４に導入されて、図４に示すように、そのヘッドボックス１４内に配設されるチルトドラム３０、３０に連結される。チルトドラム３０はヘッドボックス１４内で軸受されるシャフト３２に連結されている。シャフト３２の一端部には、ギヤ機構３６の出力ギヤが噛合っており、このギヤ機構３６の入力ギヤは、ヘッドボックス１４の前面に配設される操作部としてのダイヤル３４に連結される。ダイヤル３４を回転すると、その回転がギヤ機構３６を介してシャフト３２に伝達して、シャフト３２が回転するために、ラダーコード１６の前側及び後側の垂直コードの相対移動が発生し、スラット１８が回転する。
【００１９】
以上のように構成されるブラインド１０においては、左右上下のブラインドユニット１２（１２Ａ、１２Ｂ、１２Ｃ、１２Ｄ）の中のいずれかのブラインドユニット１２を選択して、そのダイヤル３４を操作して、そのブラインドユニット１２のスラット１８を水平にすると、そのブラインドユニット１２の部分から局所的に光を採り入れまたは眺望を得ることができるようになる。例えば、図１に示したように、ブラインドユニット１２Ａとブラインドユニット１２Ｄのスラット１８のみを水平にしており、こうして、ブラインド１０が設定された開口の任意の局所的な部分の開閉を行うことができる。
【００２０】
以上の実施形態では、共通の下部支持レール２２に、下部のブラインドユニット１２Ｃ、１２Ｄのそれぞれのヘッドボックス１４が取り付けられていたが、別々の下部支持レールとするか、または、下部支持レール２２を省略し、下部のブラインドユニット１２Ｃ、１２Ｄのそれぞれのヘッドボックス１４、１４を下部支持レールとして、直接、上部のブラインドユニット１２Ａ、１２Ｂに連結することも可能である。図５にその一例を表す。この例の場合、上部のブラインドユニット１２Ａ、１２Ｂのラダーコード１６の下端が、下部のブラインドユニット１２Ｃ、１２Ｄのヘッドボックス１４、１４内のシャフト３２等の軸の回りを図３に示した如く周回している。この図５の構成であっても同様に、動作させることができる。
【００２１】
また、以上の実施形態では、左右上下２個ずつ計４個の同形、同種類のブラインドユニットを用いていたが、これに限るものではなく、図６に示すように、様々な大きさまたは種類の異なるブラインドを組み合わせることも可能である。異なる種類としては、遮蔽材の色、材質が異なるものとしたり、さらには、横型ブラインドユニットだけではなく、ロールスクリーンユニット、縦型ブラインドユニット、プリーツスクリーンユニット等のいずれか選択されたものとを、組み合わせることも可能である。複数種類のブラインドユニットを用意して、適宜使用中のブラインドユニットと交換することも可能である。ブラインドユニット１２は、ブラケット１３によって着脱可能に上部支持レール２０または下部支持レール２２に取り付けられるので、簡単にブラインドユニットを交換することができる。各ブラインドユニットが異なる色のものであれば、好みに応じて配色を変更できるように、左右上下のブラインドユニットの位置を入れ替えることも可能である。
【００２２】
また、図１ないし図４の例では、操作可能なスラットの開閉動作はスラットの回転動作のみであったが、これに限るものではなく、スラットの開閉動作として、スラットの昇降動作も含めることができる。図７及び図８にその一例を示す。この例では、各ブラインドユニット１２のヘッドボックス１４から昇降コード４０が垂下されており、該昇降コード４０は、各スラット１８に設けられた昇降コード挿通孔を挿通して、その一端がスラット１８の最下方に配置されるボトムレール４２に連結されている。
【００２３】
また、下部のブラインドユニット１２Ｃ、１２Ｄのヘッドボックス１４は、上部支持レール２０または上部に位置するブラインドユニット１２Ａ、１２Ｂのヘッドボックス１４と、下部支持レール２２または下部に位置するブラインドユニット１２Ｃ、１２Ｄのヘッドボックス１４との間に渡りスペーサコード４４を設けて、スペーサコード４４によって下部支持レール２２または下部に位置するブラインドユニット１２Ｃ、１２Ｄのヘッドボックス１４をブラインド１０の上下中間位置に保持する。
【００２４】
昇降コード４０の他端は、ヘッドボックス１４のシャフト３２に設けられた昇降ドラムに巻取り・巻解き可能に連結されている。前記ダイヤル３４を回転してシャフト３２を回転することにより、昇降ドラムが回転して昇降コード４０を巻取り、または巻解き、ボトムレール４２が昇降し、併せてスラット１８が昇降する。
【００２５】
よって、選択的にあるブラインドユニットのスラットを上昇させることによって、その部分を完全に開放することができるようになる。こうして、任意の局所的な部分の開閉を行うことができる。
【００２６】
また、昇降コードの一端を、各ブラインドユニットのボトムレールに連結するのではなく、下部支持レール及び最下部レール２６に連結することにより、ブラインドユニットのスラットのみではなくブラインド全体または複数ブラインドユニットのスラットを一同に昇降させることも可能になる。
【００２７】
さらに、各ブラインドユニットのスラットを開閉するための操作部としてダイヤルを使用したが、ギヤ機構に回転を伝達可能であり、かつ着脱可能に設けられた例えばクランク式のハンドルを使用することもでき、この場合ブラインドユニットの上部支持部材が手の届かない高さにあっても、操作部としてのハンドルを操作することによって、各ブラインドユニットのスラットを開閉することが可能となる。
【００２８】
このようにして、一つのブラインドに対して様々なバリエーションを持たせることができて、好みまたは雰囲気に応じて適宜バリエーションの中の一つを選択することで、ユーザが変更を楽しむことができる。
【図面の簡単な説明】
【００２９】
【図１】本発明の実施形態にかかるブラインドの正面図である。
【図２】図１のブラインドの側面図である。
【図３】上部に位置するブラインドユニットの下部部分の拡大断面図である。
【図４】ブラインドユニットのヘッドレールの平面図である。
【図５】本発明の他の実施形態にかかるブラインドの正面図である。
【図６】本発明のさらに他の例を表す正面図である。
【図７】本発明の他の実施形態にかかるブラインドの正面図である。
【図８】図７のブラインドの側面図である。
【符号の説明】
【００３０】
１０  ブラインド
１２（１２Ａ、１２Ｂ、１２Ｃ、１２Ｄ）  ブラインドユニット
１４  ヘッドボックス（上部支持部材）
１８  スラット（遮蔽材）
２０  上部支持レール
２２  下部支持レール
３４  ダイヤル（操作部）
【図１】
2005282071.tif 000003
【図２】
2005282071.tif 000004
【図３】
2005282071.tif 000005
【図４】
2005282071.tif 000006
【図５】
2005282071.tif 000007
【図６】
2005282071.tif 000008
【図７】
2005282071.tif 000009
【図８】
2005282071.tif 000010